(57)【要約】【課題】多種類の配線を扱う場合であってもそれらを接続する端子台の小型化が実現できるようにする。【解決手段】端子台５０は、電源線を接続する大電力端子８１が取り付けられた大電力配線接続部５１と、リモコン線を接続する小電力端子８２が取り付けられた小電力配線接続部５２と、通信線を接続する小電力端子８３が取り付けられた小電力配線接続部５３とを備える。大電力配線接続部５１は、大電力端子のネジ９１が前方に露出するように形成されている。小電力配線接続部５２，５３は、小電力端子８２のネジ９２及び小電力端子８３のネジ９３が左右方向に分散して前方に露出するように前後方向に２段に並んで形成されている。【選択図】図６
2018160341.tif 000002
【特許請求の範囲】
【請求項１】
小電力端子を有する小電力配線接続部と、大電力端子を有し前記小電力配線接続部の横方向に隣接して一体に形成される大電力配線接続部とを備えた端子台であって、
前記小電力配線接続部は、配線を接続するための第１系統部と第２系統部が前後方向に２段形状となるように形成されていることを特徴とする端子台。
【請求項２】
請求項１に記載の端子台において、
前記小電力配線接続部の前記第１系統部と前記第２系統部は、前記第１系統部と前記第２系統部の前記小電力端子のピッチの半ピッチ分だけ前記横方向にずれ、且つ前記横方向及び前記前後方向に直交する上下方向に互いに所定距離だけずれていることを特徴とする端子台。
【請求項３】
前面に吸込グリルが取り付けられ該吸込グリルの奥側にフロントパネルが取り付けられ、該フロントパネルに着脱可能な端子蓋が取り付けられた空気調和機において、
前記端子蓋の奥側に前記端子台が取り付けられていることを特徴とする空気調和機。
【発明の詳細な説明】
【技術分野】
【０００１】
本発明は、大電力用及び小電力用の配線を接続するための端子台並びにその端子台を取り付けた空気調和機に関する。
【背景技術】
【０００２】
１台の室外機に対して複数台の室内機を接続するとともに個々の室内機に電子膨張弁（流量調節弁）を取り付けたマルチタイプの空気調和機では、その個々の室内機に電源線、通信線、リモコン線など複数種類の配線を接続する必要がある。
【０００３】
複数種類の配線を接続する手法として、配線の種類ごとに独立した端子台を設けて接続する手法がある（例えば特許文献１）。この手法では、電源線を接続する大電力端子台と外部配線を接続する外部配線端子台を個々に独立して設けるとともに、電装品箱の上面にその大電力端子台を取り付けてその上面を電源線押えで押え、その電源線押えの上面に外部配線端子台を取り付けてその外部配線端子台の上面を外部配線押させで押えることで、大電力端子台と外部配線端子台が上下方向に並べて取り付けられるようにしている。
【０００４】
また、１台又は２台以上の室外機に対して複数台の室内機を接続する可変冷媒流量制御型の空気調和機では、冷媒系統アドレスや室内機アドレスの設定を行うスイッチ類も必要であり、このためのスイッチ基板は例えば壁掛型の室内機では電装品箱内に配置される。
【先行技術文献】
【特許文献】
【０００５】
【特許文献１】特開２００７−２４８０１１号公報
【発明の概要】
【発明が解決しようとする課題】
【０００６】
しかし、配線の種類ごとに独立した端子台を使用する手法では、大電力端子台と外部配線端子台を上下方向に並べて取り付けることで横方向の幅を狭くして設置スペースを狭くすることはできるが、個々に独立した大電力端子台と外部配線端子台を使用するので、それらを組み合わせた形状が大きくなり、しかも上下方向に並べて配置されるので、上下方向が長くなる問題がある。
【０００７】
本発明の第１の目的は、多種類の配線を扱う場合であっても小型化が可能でしかも配線作業が容易になった端子台を提供することであり、第２の目的は端子台の設置スペースを小さくできるようにした空気調和機を提供することである。
【課題を解決するための手段】
【０００８】
上記目的を達成するために、請求項１にかかる発明の端子台は、小電力端子を有する小電力配線接続部と、大電力端子を有し前記小電力配線接続部の横方向に隣接して一体に形成される大電力配線接続部とを備えた端子台であって、前記小電力配線接続部は、配線を接続するための第１系統部と第２系統部が前後方向に２段形状となるように形成されていることを特徴とする。
請求項２にかかる発明は、請求項１に記載の端子台において、前記小電力配線接続部の前記第１系統部と前記第２系統部は、前記第１系統部と前記第２系統部の前記小電力端子のピッチの半ピッチ分だけ前記横方向にずれ、且つ前記横方向及び前記前後方向に直交する上下方向に互いに所定距離だけずれていることを特徴とする。
請求項３にかかる発明は、前面に吸込グリルが取り付けられ該吸込グリルの奥側にフロントパネルが取り付けられ、該フロントパネルに着脱可能な端子蓋が取り付けられた空気調和機において、前記端子蓋の奥側に前記端子台が取り付けられていることを特徴とする。
【発明の効果】
【０００９】
本発明の端子台によれば、大電力配線接続部が小電力配線接続部に隣接して一体に形成され、小電力配線接続部は前後方向に２段形状に２系統となるように形成されているので、端子台の全体形状を小さくすることができる。また、小電力配線接続部については、第１系統部と第２系統部が、横方向にずれ且つ横方向及び前後方向に直交する上下方向にずれるようにすることで、前後方向からみて端子が左右上下に分散され配線接続が容易となる。また、本発明の空気調和機によれば、その小型の端子台を取り付けることにより端子台の設置スペースを小さくできる。
【図面の簡単な説明】
【００１０】
【図１】本発明の実施例の室内機の正面図である。
【図２】同実施例の室内機の吸込グリルを取り外した状態の正面図である。
【図３】同実施例の室内機の吸込グリル及び端子蓋を取り外した状態の正面図である。
【図４】同実施例の室内機の端子台とスイッチ基板と電装品箱の部分の正面図である。
【図５】同実施例の端子台の部分の拡大正面図である。
【図６】同実施例の端子台の斜視図である。
【図７】（ａ）は同実施例の端子台の正面図、（ｂ）は底面図、（ｃ）は右側面図である。
【発明を実施するための形態】
【００１１】
図１〜図３に本発明の実施例の室内機２００の正面を示す。図１の状態で吸込グリル１０を取り外すと、図２に示すように吸込グリル１０の奥側のフロントパネル２０が現れ、そのフロントパネル２０の右側正面に着脱自在の端子蓋３０が現れる。そして、フロントパネル２０からその端子蓋３０を取り外すと、図３に示すように端子蓋３０で閉じられていたフロントパネル２０の開口２１の奥に樹脂成型品の配線ケース４０が現れる。フロントパネル２０の背後には熱交換器が取り付けられているが、本発明には直接関係しないので図示は省略している。
【００１２】
図４はフロントパネル２０を取り外した状態における配線ケース４０の部分を示す図であり、配線ケース４０には、端子台５０とスイッチ基板６０が搭載されている。このように、スイッチ基板６０は、配線ケース４０内において端子台５０の左上隣に配置されているので、その間の配線の引き回しが容易となっている。配線ケース４０の右上には電装品箱７０が配置されている。スイッチ基板６０には複数のロータリスイッチ６１や複数のディップスイッチ６２が取り付けられる。このスイッチ基板７０や配線ケース４０の左隣には熱交換器１００の右端が位置している。図４において一点鎖線で囲まれた部分Ａの拡大図を、図５に示した。
【００１３】
端子台５０は、図６と図７（ａ）〜（ｃ）に示したように、正面からみて右側に、一対の電源線用の凹形状の大電力配線接続部５１が図５の上下方向に形成され、そこに一対の大電力端子８１が取り付けられている。また、左側の上側奥に、一対のリモコン線用の凹形状の小電力配線接続部５２（請求項記載の第１系統部）が図５の上下方向に形成され、そこに一対の小電力続端子８２が取り付けられている。さらに、小電力配線接続部５２の下方に大電力接続部５１の横に並ぶように、一対の通信線用の別の凹形状の小電力配線接続部５３（請求項記載の第２系統部）が図５の上下方向に形成され、そこにも小電力端子８３が取り付けられている。
【００１４】
このような２系統の小電力配線接続部５２，５３は、上下方向にずれるばかりでなく、大電力配線接続部５１の方向である横方向にも、図５に示すように、小電力端子８２，８３のピッチＰ１の１／２ピッチ分だけずれている。そして、大電力端子８１、小電力端子８２，８３は、下端部が斜め下を向くように形成され、そこに一対のネジ９１，９２，９３がそれぞれ取り付けられている。大電力端子８１は小電力端子８２、８３よりもその形状が大きくなっている。
【００１５】
大電力端子８１が取り付けられる大電力配線接続部５１は、小電力端子８２が取り付けられる小電力配線接続部５２や小電力端子８３が取り付けられる小電力配線接続部５３から離れた位置に配置されている。これは、小電力端子８２，８３が例えば５Ｖ程度の低電圧のシリアルデータやリモコン信号を扱うのに対して、大電力端子８１が例えば１００Ｖ或いは２００Ｖ程度と高い電圧を扱うため、小電力端子８２，８３が大電力端子８１に現れるノイズ成分の影響を受けないようにする必要があるからである。
【００１６】
小電力配線接続部５２，５３は、上記のように扱う電圧が低いことから、室内機の吸込グリル１０の方向（配線作業時の前後方向）に向けて重ねて、且つ前記したようにずれた配置で２段形状となるように形成されている。
【００１７】
したがって、この端子台４０は、横方向には大電力配線接続部５１が若干張り出すことになるが、小電力配線接続部５２，５３が２段構造となるので、小電力配線接続部５２，５３をそのまま上下方向に並べた場合と比べてその上下方向の長さを短くすることができ、省スペースを実現できる。また、小電力端子８２のネジ９２と小電力端子８３のネジ９３が、前後方向からみて上下左右方向に分散して配置されることになり、配線作業が容易となる。このとき、ネジ９２，９３は前方斜め下向きであるので、室内壁面の上側に取り付けられる室内機に対する下側からの作業も容易となる。ネジ９１についても同様である。
【００１８】
また、冷媒系統アドレスや室内機アドレスの設定を行うスイッチ基板７０は電装品箱７０内ではなく、その電装品箱７０の外部に配置しているが、フロントパネル２０に隠れるように配置されている。
【００１９】
したがって、吸込グリル１０と端子蓋３０を取り外した状態で且つフロントパネル２０はそのままで、端子台４０に対して配線を接続したり取り外したりする作業時には、スイッチ基板７０のロータリスイッチ７１やディップスイッチ７２に誤って触れてその設定内容が変更されるような恐れがなくなる。
【００２０】
また、スイッチ基板７０の設定は吸込グリル２０とフロントパネル２０を取り外すだけで操作することができ、電装品箱７０の蓋を開く必要はなくなる。
【００２１】
なお、一対の大電力配線接続部５１は端子板５０の左側に配置されることもある。また、端子蓋３０、配線ケース４０、端子台５０、電装品箱６０、スイッチ基板７０等は、室内機１００の左側に配置されることもある。
【符号の説明】
【００２２】
１０：吸込グリル
２０：フロントパネル
３０：端子蓋
４０：配線ケース
５０：端子台、５１：大電力配線接続部、５２，５３：小電力配線接続部
６０：スイッチ基板、６１：ロータリスイッチ、６２：ディップスイッチ
７０：電装品箱
８１：大電力端子、８２：小電力端子、８３：小電力端子
９１〜９３：ネジ
１００：熱交換器
２００：空気調和機
【図１】
2018160341.tif 000003
【図２】
2018160341.tif 000004
【図３】
2018160341.tif 000005
【図４】
2018160341.tif 000006
【図５】
2018160341.tif 000007
【図６】
2018160341.tif 000008
【図７】
2018160341.tif 000009